(57)【特許請求の範囲】
【請求項１】
タンク内の塗布液を塗布部まで誘導する誘導芯の外周部に複数の枚葉体が誘導芯軸方向に間隙を置いて配置され、各枚葉体に該誘導芯軸方向にセンタースリットが形成された塗布液溜め部材であると共に、タンク内の圧力変化に応じて前記センタースリットを介して塗布液を前記枚葉体間の溝部内に流入・排出させて塗布液の一時溜め機能を発揮する塗布液溜め部材を有した塗布具において、
複数の枚葉体を、誘導芯の内部孔に挿通する筒状部の外周部に各枚葉体間に溝部をおいて誘導芯方向に配設し、
各枚葉体には、誘導芯の軸方向に突出して溝部の間隔を一部狭くする凸部を、前記センタースリットに沿って前記筒状部から径方向に延びる形状に形成する他、前記筒状部を取り巻いて形成すると共に、枚葉体を誘導芯軸方向に見て誘導芯を中心にした角度がセンタースリットの形成方向と直角をなす方向に前記筒状部から枚葉体周縁部に向けて延びる帯形状に形成したことを特徴とする塗布具。
【請求項２】
凸部で一部狭くなる溝部の間隔は、センタースリットとほぼ同じ間隔でかつその毛細管力がセンタースリットの毛細管力以下になるように凸部の境界位置を枚葉体の面部に形成したことを特徴とする請求項１に記載の塗布具。
【請求項３】
センタースリットは、塗布液溜め部材の誘導芯挿入部の誘導芯に隣接し、隣接する部分が枚葉体の有る全長にわたって形成されていることを特徴とする請求項１または２に記載の塗布具。
【発明の詳細な説明】
【０００１】
【発明の属する技術分野】
本発明は、インキ、修正液、化粧料等の各種塗布液を塗布部から対象物に塗布する塗布具（インキを筆記部から対象物に筆記する筆記具も含む）において、タンク内の塗布液を塗布部まで誘導する誘導芯の外周部に複数の枚葉体が誘導芯軸方向に間隙を置いて配置され、各枚葉体に該誘導芯軸方向にセンタースリットが形成された塗布液溜め部材を有する塗布具に関する。
【０００２】
【従来の技術】
塗布具の一例として挙げられる筆記具においては、従来、インキタンク内のインキを筆記部まで誘導する誘導芯の外周部に複数の枚葉体が誘導芯軸方向に間隙(溝部)を置いて配置された櫛歯状のインキ貯溜部を有するインキ溜め部材（コレクターとも称する）が直液式等の各種筆記具に設けられている。このインキ溜め部材を有した筆記具は、外気の温度変化や気圧変化によりインキタンク内の内圧変化が生じた場合に、インキタンク内のインキをインキ貯溜部の枚葉体間の溝部にインキ誘導芯のインキを一時的に溜める機能を有している。
【０００３】
【発明が解決しようとする課題】
しかしながら、前記一時的塗布液溜め部材を有する筆記具等の塗布具では、外気温度の上昇や減圧等により塗布液貯溜部の溝部内に塗布液が入った場合、外気が元の状態に戻ったときに、塗布液は液貯溜部からタンクに戻るが、この際に塗布液貯溜部の外周付近や狭小部に残ってしまう場合があり、この残留液の分、塗布液が一時貯溜できないため、その結果、実際の貯溜量が液貯溜部の保溜容量限度より少なくなり、一時的塗布液溜め部材に塗布液が速やかに流入・排出できなくなる可能性がある。これに対して、十分な一時的溜め性能を得るためには塗布液貯溜部の寸法を大きくせざるを得ず、筆記具等塗布具を小型化できないという問題があった。
【０００４】
本発明は、上記従来技術の問題点に着目してなされたもので、塗布液溜め部材の貯溜容量限度まで塗布液を一時保溜でき、塗布液溜め部材に塗布液が速やかに流入・排出でき、筆記具等塗布具の小型化に支障を生じない塗布具を提供することを目的とする。
【０００５】
【課題を解決するための手段】
本発明は、前記目的を達成するため次の構成を有する。
【０００６】
本発明は、タンク内の塗布液を塗布部まで誘導する誘導芯の外周部に複数の枚葉体が誘導芯軸方向に間隙を置いて配置され、各枚葉体に該誘導芯軸方向にセンタースリットが形成された塗布液溜め部材であると共に、タンク内の圧力変化に応じて前記センタースリットを介して塗布液を前記枚葉体間の溝部内に流入・排出させて塗布液の一時溜め機能を発揮する塗布液溜め部材を有した塗布具において、
複数の枚葉体を、誘導芯の内部孔に挿通する筒状部の外周部に各枚葉体間に溝部をおいて誘導芯方向に配設し、
各枚葉体には、誘導芯の軸方向に突出して溝部の間隔を一部狭くする凸部を、前記センタースリットに沿って前記筒状部から径方向に延びる形状に形成する他、前記筒状部を取り巻いて形成すると共に、枚葉体を誘導芯軸方向に見て誘導芯を中心にした角度がセンタースリットの形成方向と直角をなす方向に前記筒状部から枚葉体周縁部に向けて延びる帯形状に形成したことを特徴とする塗布具である。
【０００７】
上記構成を有する本発明によれば、複数の枚葉体を、誘導芯の内部孔に挿通する筒状部の外周部に各枚葉体間に溝部をおいて誘導芯方向に配設し、各枚葉体には、誘導芯の軸方向に突出して溝部の間隔を一部狭くする凸部を、前記センタースリットに沿って前記筒状部から径方向に延びる形状に形成する他、前記筒状部を取り巻いて形成すると共に、枚葉体を誘導芯軸方向に見て誘導芯を中心にした角度がセンタースリットの形成方向と直角をなす方向に前記筒状部から枚葉体周縁部に向けて延びる帯形状に形成したので、枚葉体同士の間の溝部に保溜されている塗布液がセンタースリットを介して塗布液タンク等に排出されるときに前記凸部で狭くなった溝部（部分）が他の凸部の形成されていない溝部に比較して強い毛細管力を発揮する。
このため、凸部により塗布液を確実かつ強制的にセンタースリットに誘導して流れ込ませる機能を発揮できる。このとき、溝部の全体特に枚葉体の周辺付近の塗布液も前記狭くなった溝部でスムーズに誘導されるので、塗布液を余すことなく排出できる。
したがって、塗布液溜め部材にはその設計上の貯溜容量限度一杯または近くまで塗布液を一時保溜でき、塗布液溜め部材に塗布液が速やかに流入・排出できるので、筆記具の小型化に支障を生じない。
【０００８】
また、本発明においては、複数の枚葉体を、誘導芯を内部孔に挿通する筒状部の外周部に各枚葉体間に溝部を置いて誘導芯軸方向に配設し、各枚葉体には、誘導芯の軸方向に突出して溝部の間隔を一部狭くする凸部を、前記センタースリットに沿って前記筒状部から径方向に延びる形状に形成する他、前記筒状部を取り巻いて形成すると共に、枚葉体を誘導芯軸方向に見て誘導芯を中心にした角度がセンタースリットの形成方向と直角をなす方向に筒状部から枚葉体周縁部に向けて延びる帯形状に形成したものである。
センタースリットの直角方向に位置する箇所（部位）はセンタースリットから遠くなるため、保溜した塗布液が残る可能性があるが、前記のようにセンタースリットの直角方向に位置する箇所にも凸部を形成することにより、この凸部で幅狭くされる溝部の強い毛細管力によりセンタースリット付近ばかりでなく、センタースリットから離れた箇所（部位）に保溜されていた塗布液もよりスムーズかつ確実に該センタースリットに誘導できる。
【０００９】
また、本発明においては、凸部で一部狭くなる溝部の間隔は、センタースリットとほぼ同じ間隔でかつ毛細管力がセンタースリットの毛細管力以下になるように凸部の境界位置を枚葉体の面部に形成したことが好適である。
このようにすれば、枚葉体間の溝部で凸部の形成されていない箇所の幅ａ、凸部で一部幅狭くなる溝部の幅ｂおよびセンタースリットの幅ｃがａ＞ｂ≧ｃの関係であるので、枚葉体間溝部に保留された塗布液が凸部形成箇所を溝部から確実にセンタースリットに誘導できる。
【００１０】
さらに、本発明において、センタースリットは、塗布液溜め部材の誘導芯挿入部の誘導芯に隣接し、隣接する部分が枚葉体のある全長にわたって形成されていれば、塗布液タンクからの塗布液は、センタースリットを介して誘導芯と溝部との間の塗布液の出入りがスムーズに行えるようになる。
【００１１】
【発明の実施の形態】
以下、図に基づき本発明の実施の形態を詳細に説明する。
図１は本発明の実施形態に係る筆記具（塗布具の一例）の全体縦断面視、図２は図１の要部拡大断面図、図３は図２のＡ部拡大断面図、図４は図３のＢ−Ｂ線断面視図、図５は図３のＣ−Ｃ線断面視図説明図、図６は図３のＤ−Ｄ線断面図、図７は比較例に係るインキ溜め部材において、溝部の周縁部にインキの残った例の図４に対応して図示した説明図である。
【００１２】
図１に示すように、実施形態に係る筆記具は、ユーザが筆記時に軸筒１０外周面を握り筆記部１２のペン芯１４先端をシート面などの対象面上に滑らせて、該ペン芯１４から対象面にインキを供給・塗布して筆記する。前記軸筒１０は先端が開口（１０ａ）し、後端が閉鎖された概略筒状体であり、軸筒開口１０ａ付近には、先端開口１０ａを塞いで筆記部１２のペン芯１４周囲が突出して固定されており、軸筒先端側部内部には筆記部１２に続いて一時インキ溜め部材１６が収容される。軸筒１０のインキ溜め部材１６よりも後方側の内部空間が生インキなどのインキ２０を収容するインキタンク１８になっている。
【００１３】
なお、筆記部１２のペン芯１４は、後端鍔状部２２ａが軸筒１０内周に嵌着したホルダー２２でペン芯１４先端１４ａを露出した状態で保持し、かつ、インキ溜め部材１６軸心部の挿通孔１６ａに挿嵌している。また、ペン芯１４は、繊維束芯、樹脂成形芯、多孔質体成形芯を用いることできる。また、筆記部１２は筆記先端部が別体でも良く、フェルトペン、ボールペン、万年筆など種々の筆記具に用いて構成できる。また、ホルダー２２の空気孔２２ｂが枚葉体２４の空気溝２４ｂに連通してスムーズな空気置換機能を発揮できるようになっている。
【００１４】
前記インキ溜め部材１６は、インキタンク１８内のインキ２０を筆記部１２まで誘導するペン芯（誘導芯）１４の外周部に複数の薄板状の枚葉体２４がペン芯１４軸方向（軸筒１０およびインキ溜め部材１６の軸方向でもある）に間隙（溝部２６になる）を置いて配置され、各枚葉体２４に該ペン芯１４の軸方向にセンタースリット（縦溝ともいう）２８が形成されたインキ溜め部材１６であると共に、インキタンク１８内の圧力変化に応じて前記センタースリット２８を介してインキを前記枚葉体２４間の溝部２６内に流入・排出させてインキの一時溜め機能を発揮するインキ溜め部材１６である。
【００１５】
また、前記インキ溜め部材１６は、軸芯部に内部孔がペン芯１４を挿通する挿通孔１６ａがある筒状部１６ｂが形成され、薄板状の枚葉体２４はこの筒状部１６ｂ周囲に溝部２６を置いて軸方向に配列されかつ径方向に拡がるように一体に樹脂成形されている。また、前記インキ溜め部材１６は、図２に詳細に示すように、後端部が厚板部３０になりこの厚板部３０外周部が軸筒１０内周面に環状突起３２を乗り越え該突起３２の後方に形成された環状溝３４に緊密に嵌着する。そして、インキ溜め部材１６の後端からペン芯後端１４ｂがインキタンク１８内に突出しており、収容されたインキ２０に触れるようになっている。
【００１６】
さらに詳細に説明する。図３〜図６に示すように、インキ溜め部材１６は、前記枚葉体２４の、前記溝部２６に臨む後方側２４ａには、ペン芯１６の軸方向に突出して溝部２６の間隔を一部狭くする凸部３６を、前記センタースリット２８の一部（もしくは枚葉体１４周縁部に至るまでなど全部）を含む面部に形成したものである。実施形態のインキ溜め部材１６では、筒状部１６ｂを取り巻いて概略丘状に凸部３６が形成されている（特に図４参照）。また、前記凸部３６は、枚葉体２４の面部から断面台形形状に立ち上がるように形成されているが、他の断面形状でももちろん良い。また、前記凸部３６は、枚葉体２４の後方側２４ａの面部にインキタンク１８に向けて突出形成されているが、凸部３６は、その反対側の前方側の面部にペン芯１４先端１４ａ側に向けて突出形成したものも本発明の範囲内である。
【００１７】
そして、凸部３６は、センタースリット２８の途中まで延びるように形成されており、筒状部１６ｂではその外周部（１６ｂ１）がセンタースリット２８に沿って径外方向に延びる先まで形成されている。
【００１８】
また、前記凸部３６の他、ペン芯１４の軸方向に突出して溝部２６の間隔を一部狭くする別の凸部３８が、枚葉体の溝部に臨む面部のセンタースリット２８の（枚葉体２４の面方向で）直角方向に位置する箇所にも例えば枚葉体２４の外縁部に至るまで形成されている（途中まで形勢されていても良い）。
【００１９】
また、凸部３６，３８で一部狭くなる溝部２６の間隔は、センタースリット２８とほぼ同じ間隔でかつ毛細管力がセンタースリット２８の毛細管力以下になるように凸部３６，３８を形成している。センタースリット２８は、インキ溜め部材のペン芯１４を挿入する筒状部１６ｂのペン芯１４に隣接する部分まで形成されている。
【００２０】
上記構成を有する実施形態の筆記具によれば、インキ溜め部材１６の枚葉体２４の前記溝部２６に臨む面部２４ａには、ペン芯１４の軸方向に突出して溝部２６の間隔を一部狭くする凸部３６を、前記センタースリット２８の一部もしくは全部を含む面部に形成したので、枚葉体２４同士の間の溝部２６に保溜されているインキがセンタースリット２８を介してインキタンク１８等に排出されるときに、前記凸部３６で狭くなった溝部２６（２６ａ）が他の凸部３６の形成されていない溝部２６（２６ｂ）に比較して強い毛細管力を発揮するため、インキを確実かつ強制的にセンタースリット２８に誘導して流れ込ませる機能を発揮する。このとき、溝部２６の全体特に枚葉体２４の周辺付近のインキも前記狭くなった溝部２６でスムーズに誘導されるので、インキを余すことなく排出できる。例えば、前記凸部を形成しないときには、図７に示す比較例のように、枚葉体の周縁部にインキが残る可能性があるが、実施形態では、前記凸部３６で狭くなった溝部２６の毛細管力により強制的にセンタースリット２８に流れ込む。したがって、インキ溜め部材１６にはその設計上の貯溜容量限度一杯または近くまでインキを一時保溜でき、インキ溜め部材１６にインキが速やかに流入・排出できるので、筆記具の小型化に支障を生じない。
【００２１】
なお、ペン芯１４の軸方向に突出して溝部の間隔を一部狭くする凸部として、枚葉体２４の溝部２６に臨む側２４ａの面部のセンタースリット２８の（枚葉体の面方向で）直角方向に位置する箇所にも凸部３８を形成している。センタースリットに直角方向に位置する箇所はセンタースリット２８から遠くなるため、保溜したインキが残る可能性があるが、前記のようにセンタースリット２８の直角方向に位置する箇所にも凸部３８を形成することにより、この凸部３８で幅狭くされる溝部２６の強い毛細管力によりセンタースリット２８付近ばかりでなく、センタースリット２８から離れた部位のインキもよりスムーズかつ確実に該センタースリット２８に誘導できる。
【００２２】
また、前記凸部（３６，３８）で一部狭くなる溝部の間隔は、センタースリット２８とほぼ同じ間隔でかつ毛細管力がセンタースリット２８の毛細管力と同等かそれに近くなる毛細管力を発揮できる突出高さに凸部を形成したので、図３に示すように、枚葉体２４間の溝部２６で凸部の形成されていない箇所の幅ａ、凸部で一部幅狭くなる溝部の幅ｂおよびセンタースリットの幅ｃがａ＞ｂ≧ｃの関係になる。したがって、枚葉体間溝部２６に保留されたインキが凸部形成箇所の溝部から確実にセンタースリットに誘導できる。
【００２３】
さらに、前記センタースリット２８は、インキ溜め部材１６のペン芯１４ペン芯挿入用の筒状部１６ｂの内周面部まで貫通して形成されているので（ペン芯に隣接する部分まで形成されているので）、インキタンク１８からのインキが、センタースリット２８を介してペン芯１４と溝部２６との間のインキの出入りがスムーズに行えるようになる。
【００２４】
前記実施形態では、塗布具の一例としてインキを塗布液とする筆記具を挙げたが、本発明は塗布部から化粧料、修正液等の塗布液を対象物に塗布する塗布具も技術的範囲内のものである。
【００２５】
【発明の効果】
以上説明したとおり、この発明によれば、塗布液溜め部材において、塗布液が塗布液タンク等に排出されるときに前記凸部で狭くなった溝部が他の凸部の形成されていない溝部に比較して強い毛細管力を発揮するため、凸部により塗布液を確実かつ強制的にセンタースリットに誘導して流れ込ませる機能を発揮できる。したがって、塗布液溜め部材の貯溜容量限度まで塗布液を一時保溜でき、塗布液溜め部材に塗布液が速やかに流入・排出でき、筆記具の小型化に支障を生じない。
【図面の簡単な説明】
【図１】本発明の実施形態に係る筆記具の全体縦断面視である。
【図２】図１の要部拡大断面図である。
【図３】図２のＡ部拡大断面図である。
【図４】図３のＢ−Ｂ線断面視図である。
【図５】図３のＣ−Ｃ線断面視図説明図である。
【図６】図３のＤ−Ｄ線断面図である。
【図７】比較例に係るインキ溜め部材において、溝部の周縁部にインキの残った例の図４に対応する説明図である。
【符号の説明】
１０  軸筒
１２  筆記部
１４  ペン芯
１６  インキ溜め部材
１８  インキタンク
２４  枚葉体
２６  溝部
２８  センタースリット
３６  凸部
３８  （他の）凸部
【図１】
0004137448.tif 000002
【図２】
0004137448.tif 000003
【図３】
0004137448.tif 000004
【図４】
0004137448.tif 000005
【図５】
0004137448.tif 000006
【図６】
0004137448.tif 000007
【図７】
0004137448.tif 000008